(57)【要約】【課題】試験室内の被試験物の周辺に風が少なく、且つ試験室内部の温度ばらつきが小さい環境試験装置を提供することを目的とする。【解決手段】試験室６内に周方向ルートと、底流ルート、前方分流ルートの３ルートで風が流れる。周方向ルートは、空気吹き出し部３１から左側面部１１、天井面部１２、右側面部１３を流れ、空気吸い込み部３２に至る。底流ルートは、空気吹き出し部３１から床面部１０に沿って流れ空気吸い込み部３２に至る。水平向き風向ガイド部材５０が、空気吹き出し部３１側の整流部材４０の上に設けられ、送風間隙５３から吹き出された風は、水平向き風向ガイド部材５０の横ガイド部５２と衝突し、向きを水平方向に変えて床面部１０に沿う方向に変換される。前方分流ルートは、風の一部が試験室開閉扉２１に向かって分流される送風ルートである。【選択図】図２
2015210144.tif 000002
【特許請求の範囲】
【請求項１】
被試験物を設置する試験室と、温度及び湿度を調整する機器が内蔵された空気調和部を有し、当該空気調和部には、試験室につながる空気吹き出し部及び空気吸い込み部があり、試験室内の空気を空気吸い込み部から空気調和部に導入し、前記機器で所定の温度及び湿度に調整した空気を空気吹き出し部から試験室内に戻す環境試験装置において、
前記試験室は、床面部と、左側面部と、天井面部と、右側面部と、前面部と、奥面部を有し、前記空気吹き出し部はいずれか一方の側面部の下部近傍にあって当該側面部及び床面部に沿って空気を吹き出し、前記空気吸い込み部は他方の側面部の下部近傍に設けられていることを特徴とする環境試験装置。
【請求項２】
被試験物を設置する試験室と、温度及び湿度を調整する機器が内蔵された空気調和部を有し、当該空気調和部には、試験室につながる空気吹き出し部及び空気吸い込み部があり、試験室内の空気を空気吸い込み部から空気調和部に導入し、前記機器で所定の温度及び湿度に調整した空気を空気吹き出し部から試験室内に戻す環境試験装置において、
前記試験室は、床面部と、左側面部と、天井面部と、右側面部と、前面部と、奥面部を有し、前記空気吹き出し部は前面部又は奥面部のいずれか一方の下部近傍にあって前面部又は奥面部の前記いずれか一方と床面部に沿って空気を吹き出し、前記空気吸い込み部は前面部又は奥面部の他方側の面の下部近傍に設けられていることを特徴とする環境試験装置。
【請求項３】
空気吹き出し部には整流部材が設けられ、当該整流部材は複数の板部が一定の間隔を開けて複数並べられていて前記板部同士の間を空気が通過するものであり、
整流部材の上部に空気を水平方向に導く水平向き風向ガイド部材が設けられていることを特徴とする請求項１又は２に記載の環境試験装置。
【請求項４】
前面部は開閉可能な扉によって構成されており、水平向き風向ガイド部材と空気吹き出し部との間に扉側に空気を導く下部前面向き風向ガイド部材があることを特徴とする請求項３に記載の環境試験装置。
【請求項５】
前面部は開閉可能な扉によって構成されており、扉側に空気を導く前面向き風向ガイド部材があることを特徴とする請求項１乃至４のいずれかに記載の環境試験装置。
【請求項６】
空気吹き出し部には整流部材が設けられ、当該整流部材は格子状の開口を有していることを特徴とする請求項１乃至５のいずれかに記載の環境試験装置。
【請求項７】
試験室には棚部材が設置可能であり、試験室内の前記側面部に前記棚部材を支持する複数の棚受け部材があり、少なくとも空気吹き出し部上に設置された棚受け部材は、筒状又は枠状であって上下が連通しており、前記棚受け部材は一列に並べられていることを特徴とする請求項１乃至６のいずれかに記載の環境試験装置。
【請求項８】
少なくとも空気吹き出し部上に設置された棚受け部材の奥面側に邪魔板が設けられており、当該邪魔板によって空気の一部が前面側に向かうことを特徴とする請求項７に記載の環境試験装置。
【請求項９】
上下に並んだ棚受け部材の間に空気を一方に導く棚受け間風向ガイド部材が設けられていることを特徴とする請求項７又は８に記載の環境試験装置。
【発明の詳細な説明】
【技術分野】
【０００１】
本発明は、環境試験装置に関するものである。本発明の環境試験装置は、特に薬品等の安定性を試験する用途に適するものである。
【背景技術】
【０００２】
製品や素材等の性能や耐久性を試験する装置として、特許文献１の様な環境試験装置が知られている。環境試験装置は、試験対象の供試体（被試験物）が載置される試験室を備え、試験室内の温度や湿度を所望の試験環境に調整するものである。
環境試験装置は、一般に特許文献１に開示された様な構造をしており、試験室と、空気調和部を有している。空気調和部には、温度及び湿度を調整する機器と送風機が内蔵されている。また空気調和部には、試験室と連通する空気吹き出し部と空気吸い込み部がある。
特許文献１に記載された様な一般的な環境試験装置では、空気吸い込み部から空気調和部に試験室内の空気を導入し、空気調和部で温度及び湿度を調整する。そして調整済の空気を空気吹き出し部から試験室内に勢い良く吹き出す。
【０００３】
一般的な環境試験装置では、空気吹き出し部から試験室の中央側に向かって勢い良く空気が吹き出し、試験室内の空気を攪拌し、試験室内の温度等を平滑化する。特許文献１に開示された構造の環境試験装置では、試験室内の空気が送風によって攪拌されるので、試験室内の温度ばらつきが小さい。
【０００４】
また特許文献２には、試験室内の風を抑えた構造の環境試験装置が開示されている。
特許文献２に開示された環境試験装置は、試験室の下部に空気調和部があり、当該空気調和部に温度及び湿度を調整する機器が内蔵されている。
そして試験室の下部に空気吹き出し部と空気吸い込み部があり、空気吹き出し部から試験室の内側側面に沿って空気が吹き出される。吹き出された空気は、試験室の側面に沿って上昇し、さらに天井に沿って流れ、他方の側面に沿って下方に流れる。
そのため特許文献２に開示された環境試験装置では、試験室の内面に所定の温度に調節された空気層が形成される。即ち特許文献２に開示された環境試験装置では、試験室の内面に疑似的なエアージャケットが形成され、供試体が当該エアージャケットに包まれる。特許文献２に開示された環境試験装置では、試験室内の風が少ない。
【先行技術文献】
【特許文献】
【０００５】
【特許文献１】特開２０１４−２０７７７号公報
【特許文献２】特開平８−１３６４４３号公報
【発明の概要】
【発明が解決しようとする課題】
【０００６】
環境試験の一つとして、安定性試験と称される試験がある。安定性試験は、医薬品を対象として実施されることが多い試験である。
また散薬を対象とする安定性試験の一つとして、散薬の包装を故意に破って薬剤の経時変化を調べる試験がある。
即ち近年の散薬は、予め密閉包装されて販売されるが、何らかの事情で包装が破れてしまう場合がある。そこで包装を故意に破って環境試験装置に配置し、長時間放置して散薬の経時変化を調査する。
【０００７】
上記した散薬の試験を行う場合には、試験室内に風があると散薬が飛散する。そこで上記した散薬の試験を行う場合には、特許文献２に開示された様な、試験室内の風が少ない環境試験装置が利用される。
【０００８】
しかしながら、特許文献２に開示された疑似的なエアージャケットを形成させる構造の環境試験装置は、特許文献１に開示された様な試験室内の空気を強制的に攪拌する構造のものに比べて、試験室内部の温度ばらつきが大きい。
そこで本発明は、疑似的なエアージャケットを形成させる構造の環境試験装置を改良し、試験室内の風が少なく、且つ試験室内部の温度ばらつきが小さい環境試験装置を提供することを目的とする。
【課題を解決するための手段】
【０００９】
特許文献２に開示された環境試験装置は、前記した様に下部に空気吹き出し部と空気吸い込み部があり、空気吹き出し部から試験室の内側側面に沿って空気が吹き出される。吹き出された空気は、試験室の側面に沿って上昇し、さらに天井に沿って流れ、他方の側面に沿って下方に流れる。
特許文献２に開示された環境試験装置では、左右の側面と天井面に空気が流れ、この空気層で試験室の三面が覆われる。特許文献２に開示された環境試験装置では、床面側には空気が流れ難く、床面側には空気層はできていない。
そこで本発明者らは、左右の側面と天井面の３面に加え、床面にも空気層を形成させることを考えた。
【００１０】
このアイデアに基づいて完成された請求項１に記載の発明は、被試験物を設置する試験室と、温度及び湿度を調整する機器が内蔵された空気調和部を有し、当該空気調和部には、試験室につながる空気吹き出し部及び空気吸い込み部があり、試験室内の空気を空気吸い込み部から空気調和部に導入し、前記機器で所定の温度及び湿度に調整した空気を空気吹き出し部から試験室内に戻す環境試験装置において、前記試験室は、床面部と、左側面部と、天井面部と、右側面部と、前面部と、奥面部を有し、前記空気吹き出し部はいずれか一方の側面部の下部近傍にあって当該側面部及び床面部に沿って空気を吹き出し、前記空気吸い込み部は他方の側面部の下部近傍に設けられていることを特徴とする環境試験装置である。
【００１１】
本発明の環境試験装置では、試験室の一方の側面部の下部近傍に空気吹き出し部があり、空気吹き出し部から側面部及び床面部に沿って空気が吹き出される。空気吹き出し部から側面部に沿って吹き出された空気は、当該側面部に沿って上昇し、天井面に至る。そして空気は、天井面に沿って横方向に進み、他方の側面部に至る。ここで空気は、向きを下方向に変え、他方の側面部に沿って下方向に流れ、空気吸い込み部に吸い込まれる。
また空気吹き出し部から床面部に沿って吹き出された空気は、床面部を流れて空気吸い込み部に吸い込まれる。
本発明の環境試験装置では、左右の側面と天井面の３面に加え、床面にも空気層が形成され、試験室内の４面に空気層を存在させることができる。そのため試験室が４面の疑似的なエアージャケットで覆われ、試験室内の温度ばらつきが小さなものとなる。
【００１２】
請求項１に記載の発明では、一方の側面の下部近傍から送風し、天井面と床面部を巡って他方の側面の下部近傍に吸い込まれる構造であるが、空気吹き出し部と空気吸い込み部の位置を９０度ずらして前面部と奥面部に設けてもよい。
この構成を採用した請求項２に記載の発明は、被試験物を設置する試験室と、温度及び湿度を調整する機器が内蔵された空気調和部を有し、当該空気調和部には、試験室につながる空気吹き出し部及び空気吸い込み部があり、試験室内の空気を空気吸い込み部から空気調和部に導入し、前記機器で所定の温度及び湿度に調整した空気を空気吹き出し部から試験室内に戻す環境試験装置において、前記試験室は、床面部と、左側面部と、天井面部と、右側面部と、前面部と、奥面部を有し、前記空気吹き出し部は前面部又は奥面部のいずれか一方の下部近傍にあって前面部又は奥面部の前記いずれか一方と床面部に沿って空気を吹き出し、前記空気吸い込み部は前面部又は奥面部の他方側の面の下部近傍に設けられていることを特徴とする環境試験装置である。
【００１３】
本発明の環境試験装置では、試験室の前面部又は奥面部の下部近傍に空気吹き出し部があり、空気吹き出し部から前面部又は奥面部に沿って空気が吹き出される。例えば前面部に空気吹き出し部を設けた場合、空気吹き出し部から前面部に沿って吹き出された空気は、当該前面部に沿って上昇し、天井面に至る。そして空気は、天井面に沿って奥側に向かって進み、奥面部に至る。ここで空気は、向きを下方向に変え、奥面部に沿って下方向に流れ、空気吸い込み部に吸い込まれる。
また空気吹き出し部から床面部に沿って吹き出された空気は、床面部を流れて空気吸い込み部に吸い込まれる。
本発明の環境試験装置では、前面部及び奥面部と天井面の３面に加え、床面にも空気層が形成され、試験室内の４面に空気層を存在させることができる。そのため試験室が４面の疑似的なエアージャケットで覆われ、試験室内の温度ばらつきが小さなものとなる。
【００１４】
請求項３に記載の発明は、空気吹き出し部には整流部材が設けられ、当該整流部材は複数の板部が一定の間隔を開けて複数並べられていて前記板部同士の間を空気が通過するものであり、整流部材の上部に空気を水平方向に導く水平向き風向ガイド部材が設けられていることを特徴とする請求項１又は２に記載の環境試験装置である。
【００１５】
本発明の環境試験装置では、空気吹き出し部には整流部材が設けられている。そして整流部材は複数の板部が一定の間隔を開けて複数並べられていて前記板部同士の間を空気が通過するものであるから、空気吹き出し部から吹き出される空気は、板部に沿って真っ直ぐに流れる。
そのため空気吹き出し部から吹き出された空気は、試験室の側面部に沿って流れ、試験室の側面に安定した空気層を作ることができる。
【００１６】
請求項４に記載の発明は、前面部は開閉可能な扉によって構成されており、水平向き風向ガイド部材と空気吹き出し部との間に扉側に空気を導く下部前面向き風向ガイド部材があることを特徴とする請求項３に記載の環境試験装置である。
【００１７】
本発明の環境試験装置によると、試験室の前面側にも空気層を形成させることができ、試験室の５面に空気層を作ることができる。
加えて本発明の環境試験装置によると、扉の結露を防ぐ効果もある。即ち環境試験装置は、試験室内に被試験物を出し入れするために扉が設けられている。扉の部分は、他の面に比べて断熱性が劣る。そのため試験室内の温度が高い場合は、扉の内面の温度は試験室の中央部に比べて低温となる。そのため試験室内を高温高湿度状態にしたとき、扉の断熱性が低いために扉の内面で試験室内の空気が冷やされて結露する懸念がある。
これに対して本発明では、扉側に空気が送られるので、扉の内面が空気で保温され、試験室内の温度に近づくから、扉の部位が結露することはない。
【００１８】
請求項５に記載の発明は、前面部は開閉可能な扉によって構成されており、扉側に空気を導く前面向き風向ガイド部材があることを特徴とする請求項１乃至４のいずれかに記載の環境試験装置である。
【００１９】
本発明の環境試験装置においても試験室の５面に空気層を作ることができる。また扉の結露を防ぐことができる。
【００２０】
請求項６に記載の発明は、空気吹き出し部には整流部材が設けられ、当該整流部材は格子状の開口を有していることを特徴とする請求項１乃至５のいずれかに記載の環境試験装置である。
【００２１】
本発明で採用する整流部材は、格子状の開口を有しているから、風速分布が良好である。
【００２２】
請求項７に記載の発明は、試験室には棚部材が設置可能であり、試験室内の前記側面部に前記棚部材を支持する複数の棚受け部材があり、少なくとも空気吹き出し部上に設置された棚受け部材は、筒状又は枠状であって上下が連通しており、前記棚受け部材は一列に並べられていることを特徴とする請求項１乃至６のいずれかに記載の環境試験装置である。
【００２３】
本発明の環境試験装置では、筒状又は枠状の棚受け部材を有し、この棚受け部材が一列に並べられている。そのため空気吹き出し部から吹き出された空気が複数の棚受け部材を連通して天井部側に流れる。本発明の環境試験装置では、棚受け部材が空気を天井部側に導くガイドとして機能する。
【００２４】
請求項８に記載の発明は、少なくとも空気吹き出し部上に設置された棚受け部材の奥面側に邪魔板が設けられており、当該邪魔板によって空気の一部が前面側に向かうことを特徴とする請求項７に記載の環境試験装置である。
【００２５】
本発明の環境試験装置では、少なくとも空気吹き出し部上に設置された棚受け部材の奥面側に邪魔板が設けられている。そのため空気の一部が前面側に流れる。
【００２６】
請求項９に記載の発明は、上下に並んだ棚受け部材の間に空気を一方に導く棚受け間風向ガイド部材が設けられていることを特徴とする請求項７又は８に記載の環境試験装置である。
【００２７】
本発明によると、棚受け部材の間を通過する風（空気）を任意の方向に向けることができる。
【発明の効果】
【００２８】
本発明の環境試験装置は、試験室内の被試験物の周辺に風が少なく、且つ試験室内部の温度ばらつきが小さい。
【図面の簡単な説明】
【００２９】
【図１】本発明の実施形態の環境試験装置の斜視図である。
【図２】図１の環境試験装置の試験室領域のＡ−Ａ断面図である。
【図３】図２の一部を拡大した断面図である。
【図４】図１の環境試験装置の試験室領域のＢ−Ｂ断面図である。
【図５】図１の環境試験装置の扉を開いた状態における斜視図である。
【図６】図５の環境試験装置の試験室から棚部材を外した状態における斜視図である。
【図７】図６の要部を拡大した斜視図である。
【図８】図１の環境試験装置で採用する整流部材と、水平向き風向ガイド部材と、下部前面向き風向ガイド部材の斜視図である。
【図９】図１の環境試験装置で採用する水平向き風向ガイド部材と、下部前面向き風向ガイド部材を概念的に記載した斜視図であって、下部前面向き風向ガイド部材の向きを説明する斜視図である。
【図１０】図１の環境試験装置の試験室内の部材を図示した斜視図である。
【図１１】本発明の他の実施形態の環境試験装置の試験室内の部材を図示した斜視図である。
【図１２】本発明のさらに他の実施形態の環境試験装置の床面部近傍の斜視図である。
【図１３】本発明のさらに他の実施形態の環境試験装置の床面部近傍の斜視図である。
【図１４】本発明のさらに他の実施形態の環境試験装置の試験室内の部材を図示した斜視図である。
【図１５】図１４の実施形態の環境試験装置の試験室領域の断面図であり、試験室内の部材を図示した断面図である。
【発明を実施するための形態】
【００３０】
以下さらに本発明の実施形態について説明する。最初に、本実施形態の環境試験装置１の概略構成を説明し、その後に特徴部分について詳細に説明する。
即ち本実施形態の環境試験装置１は、試験室６内における風の流れや、風（空気）を導く各種ガイドに特徴がある。特徴部分については、後記することとし、先に環境試験装置１の概略構造を説明する。
本実施形態の環境試験装置１は、図１の様に、大きく上下二段の領域に分かれている。具体的には、環境試験装置１は、図１の様に上部に試験室領域２があり、下部に機械配置領域３がある。
【００３１】
本実施形態では、試験室領域２の大部分と、機械配置領域３の上部近傍に跨がる領域に、図２、図４の様に断熱壁１７で覆われた断熱空間８がある。そして当該断熱壁１７で覆われた断熱空間８に試験室６と、空気調和部７が設けられている。
【００３２】
試験室６は、被試験物（図示せず）を設置する空間である。本実施形態では、試験室６は、試験室領域２に設置されている。試験室６は、図２、図４の様に、床面部１０と、左側面部１１、天井面部１２、右側面部１３、前面部１５、奥面部１６によって構成された空間である。
本実施形態の環境試験装置１では、試験室６の前面から被試験物を出し入れする構造となっている。本実施形態の環境試験装置１では、装置全体の前面側（正面側）が、図４，５，６の様に二重扉になっている。具体的には、試験室領域２の正面に、大扉２０があり、その内側に試験室開閉扉２１がある。大扉２０は、前記した断熱空間８の壁の一部を構成するものであり、断熱材２２が内蔵されていて断熱性を有している。これに対して試験室開閉扉２１は、ガラス製の扉であり、断熱性は低い。
なお本実施形態では、試験室開閉扉２１の内面が試験室６の前面部１５を構成している。
試験室６の他の面の内、床面部１０を除く各内壁には断熱材２２が内蔵されていて断熱性を有している。
【００３３】
試験室６には、図５に示す様に棚部材２３が設置される。そのため試験室６の左側面部１１及び右側面部１３には、複数の棚受け部材２５が設けられている。本実施形態では、棚受け部材２５は後記する様に送風ガイドとしても機能する。棚受け部材２５の構造等については後記する。
【００３４】
空気調和部７は、断熱空間８の一部であって試験室６の下部にあり、試験室６の床面部１０によって区切られた下部領域である。
空気調和部７には、加湿装置２６、冷却装置２７、加熱ヒータ（加熱装置）２８、及び送風機３０を備えている。
空気調和部７は、空気吹き出し部３１と空気吸い込み部３２の二箇所で試験室６と連通している。
空気調和部７は試験室６と連通する一連の空気流路であり、その空気流路に加湿装置２６と、冷却装置２７と、加熱ヒータ（加熱装置）２８、及び送風機３０が設けられている。
【００３５】
また空気調和部７の空気吹き出し部３１の近傍に、図示しない温度センサーと湿度センサーが設けられている。
環境試験装置１は、図示しない制御装置を有し、制御装置によって空気調和部７内の機器が制御される。より詳細には、図示しない温度センサーと湿度センサーの検出値が、設定温度及び設定湿度となる様に、加湿装置２６、冷却装置２７、加熱ヒータ（加熱装置）２８、及び送風機３０が制御される。
即ち送風機３０を回転することによって試験室６内の空気が空気吸い込み部３２から空気調和部７に導入され、温度及び湿度が調整されて、空気吹き出し部３１から試験室６に吹き出される。
【００３６】
次に、本実施形態の環境試験装置１の特徴的構成について説明する。即ち本実施形態の環境試験装置１は、空気吹き出し部３１及び空気吸い込み部３２に特徴的な整流部材４０，４１が設けられている。また本実施形態の環境試験装置１は、各種のガイドを備えている。
本実施形態では、空気吹き出し部３１及び空気吸い込み部３２がいずれも試験室６の側面（左側面部１１、右側面部１３）の下部近傍に開いている。
より具体的には、空気吹き出し部３１及び空気吸い込み部３２は、いずれも床面部１０に設けられている。また空気吹き出し部３１及び空気吸い込み部３２は、いずれも試験室６の側面側に近接した位置に開いている。そのため空気吹き出し部３１及び空気吸い込み部３２は、共に試験室６の側面（左側面部１１、右側面部１３）と床面部１０との角の近傍にあり、試験室６の側面（左側面部１１、右側面部１３）の下部近傍にある。
【００３７】
本実施形態では、空気吹き出し部３１は、床面部１０の向かって左辺にあり、左側面部１１の下部近傍に開いている。空気吹き出し部３１は、細長く、床面部１０の左辺の略全長に及んでいる。
また空気吸い込み部３２は、床面部１０の向かって右辺にあり、右側面部１３の下部近傍に開いている。空気吸い込み部３２についても細長く、床面部１０の右辺の略全長に及んでいる。
【００３８】
本実施形態では、空気吹き出し部３１及び空気吸い込み部３２に、整流部材４０，４１が設けられている。
整流部材４０，４１は、同一構造であるから、空気吹き出し部３１側の整流部材４０について説明する。
整流部材４０は、図８の様な格子状開口４２を有する部材である。
即ち整流部材４０は複数の縦板４５ａ，ｂ，ｃ，ｄ，ｅと、複数の横板４６が格子状に組み合わされたものである。
整流部材４０の縦板４５ａ，ｂ，ｃ，ｄ，ｅは、全長Ｌが同一であり、幅Ｗが異なる板である。縦板４５ａ，ｂ，ｃ，ｄ，ｅは幅Ｗの広いものを外側にし、幅の順に一定の間隔４７ａ，ｂ，ｃ，ｄ，ｅを開けて平行に配列されている。
また横板４６は、等間隔に配置されている。
【００３９】
空気吹き出し部３１側の整流部材４０は、幅Ｗの広い縦板４５ａを外側（左側面部１１側）にして空気吹き出し部３１に装着されている。
整流部材４０が取り付けられた状態においては、整流部材４０の各縦板４５ａ，ｂ，ｃ，ｄ，ｅは、いずれも試験室６の左側面部１１と平行である。
また空気吸い込み部３２側の整流部材４１も、幅Ｗの広い縦板４５ａを外側（右側面部１３側）にして空気吸い込み部３２に装着されている。
整流部材４１が取り付けられた状態においては、整流部材４１の各縦板４５ａ，ｂ，ｃ，ｄ，ｅは、いずれも試験室６の右側面部１３と平行である。
【００４０】
また本実施形態では、空気吹き出し部３１に、水平向き風向ガイド部材５０が設けられている。水平向き風向ガイド部材５０は、断面形状が「Ｌ」字状の長尺部材である。
即ち水平向き風向ガイド部材５０は、縦ガイド部５１と、これに繋がる横ガイド部５２を有する部材である。
水平向き風向ガイド部材５０は、空気吹き出し部３１側の整流部材４０の上に設けられている。より詳細には、整流部材４０の内側から二番目に配された縦板４５ｄに、水平向き風向ガイド部材５０の縦ガイド部５１が接続された状態で、整流部材４０の上に設けられている。
【００４１】
そのため整流部材４０の最も内側の縦板４５ｅと、二番目の縦板４５ｄの間に存在する間隔４７ｅ部分の真上を、水平向き風向ガイド部材５０の横ガイド部５２が覆う。即ち整流部材４０の最も内側の送風間隙５３（間隔４７ｅ）の上に、高さ方向の間隔をおいて水平向き風向ガイド部材５０の横ガイド部５２が設置されている。
横ガイド部５２の幅は、前記した間隔４７ｅ（送風間隙５３）よりも大きく、横ガイド部５２の先端は、床面部１０の板状部分に及んでいる。
【００４２】
また本実施形態では、水平向き風向ガイド部材５０の横ガイド部５２と、整流部材４０の間に、複数の下部前面向き風向ガイド部材５５が設けられている。下部前面向き風向ガイド部材５５は、先端側が試験室開閉扉２１に向くように、傾斜姿勢で取り付けられた板である。
下部前面向き風向ガイド部材５５の傾斜姿勢は、詳細には図９の様であり、全体的に先端側が試験室開閉扉２１に向くように傾斜するものの、傾斜姿勢は場所によって異なっている。即ち図９の様に、試験室開閉扉２１に近い側に設置された下部前面向き風向ガイド部材５５は、試験室開閉扉２１に向かって比較的強く傾斜し、設置位置が奥側にゆく程傾斜角度が緩くなる。奥面部１６に近い位置に設置された下部前面向き風向ガイド部材５５には傾斜は無く、奥面部１６と平行に設置されている。なお、下部前面向き風向ガイド部材５５の傾斜角度を全て同じにしてもよい。
下部前面向き風向ガイド部材５５は、前面向き風向ガイド部材の一つでもある。
【００４３】
前記した様に試験室６には、棚部材２３を設置可能であり、試験室６の左側面部１１及び右側面部１３には、複数の棚受け部材２５が設けられている。棚受け部材２５は、棚部材２３の前辺を保持するものであり、棚部材２３の大部分は、棚受け部材２５よりも奥側の位置に設置されることとなる。
棚受け部材２５の試験室６側の面には、図７に示す様に、棚部材２３の軸を保持するための半円状の切り欠き５６が設けられている。
本実施形態で採用する棚受け部材２５は、図７、図１０の様に断面形状が四角形の枠であり、上下方向に連通している。即ち棚受け部材２５は角パイプ状であり、中が空洞であって上下に空気が通過可能である。
複数の棚受け部材２５は、縦方向に一列に並んで設けられている。
【００４４】
棚受け部材２５の列の奥面側には、邪魔板５７が設けられている。邪魔板５７は、図１０の様に、幅方向の一辺側が試験室開閉扉２１に向かって軽く折り曲げられている。また邪魔板５７の上端は、試験室６の天井面部１２又はその近傍に至っている。
【００４５】
次に本実施形態の環境試験装置１の試験室６内の風（空気）の流れと、特徴的機能について説明する。
試験室６内における風の流れは、大きく周方向ルートと、底流ルート、前方分流ルートの３ルートに分けられる。
即ち周方向ルートは、空気吹き出し部３１から左側面部１１、天井面部１２、右側面部１３を流れ、空気吸い込み部３２に至る送風ルートである。底流ルートは、空気吹き出し部３１から床面部１０に沿って流れ空気吸い込み部３２に至る送風ルートである。
前方分流ルートは、送風の一部が試験室開閉扉２１に向かって分流される送風ルートである。
【００４６】
最初に周方向ルートについて説明する。本実施形態の環境試験装置１では、温度調整された空気が、空気吹き出し部３１から試験室６内に吹き出される。
ここで本実施形態では、空気吹き出し部３１は、床面部１０の向かって左辺にあり、左側面部１１の下部近傍に開いている。また空気吹き出し部３１は、細長く、床面部１０の左辺の略全長に及んでいる。さらに整流部材４０の各縦板４５ａ，ｂ，ｃ，ｄ，ｅは、いずれも試験室６の左側面部１１と平行である。
そのため空気吹き出し部３１から吹き出される送風は、整流部材４０によって左側面部１１と平行方向に整流される。
その結果、風（空気）は、試験室６の左側面部１１に沿って吹き出される。
加えて本実施形態では、整流部材４０の各縦板４５ａ，ｂ，ｃ，ｄ，ｅは、幅が相違し、幅の広いものほど左側面部１１に近い位置に配置されている。そのため左側面部１１に近い位置を流れる空気は、より層流化されており、試験室６の左側面部１１に沿って流れる。
【００４７】
より詳細に説明すると、空気吹き出し部３１は、空気調和部７が構成する空気流路の末端にあり、風は空気調和部７の内壁と衝突して向きを上方に変え、試験室６に空気を吹き出す。そのため送風が内壁と衝突して向きを変える際に乱流が生じる。これに対して本実施形態で採用する整流部材４０は、内壁に近い部位ほど縦板４５の幅が長く、整流部材４０の送風通過距離は、内壁に近い流路ほど長い。そのため左側面部１１に近い位置を流れる空気についても層流化し、試験室６の左側面部１１に沿って流れる。
【００４８】
整流部材４０から吹き出された空気は、試験室６の左側面部１１に沿って上方に流れる。そして風（空気）は、天井面部１２に衝突し、天井面部１２に沿って横方向に流れる。天井面部１２を流れる風は、試験室６の右側面部１３に至り、方向を下に変える。そして試験室６の右側面部１３に沿って流れ、床面部１０に至って空気吸い込み部３２に回収される。
また本実施形態では、前記した様に試験室６に複数の棚受け部材２５が設けられている。棚受け部材２５は、図７、図１０の様に断面形状が四角形の枠であり、上下方向に連通している。そのため試験室６の左側面部１１に沿って流れる空気の一部は、棚受け部材２５を通過する。そのため風の試験室６中央側への拡散が防止される。本実施形態では、棚受け部材２５は、試験室６の左側面部１１に沿って空気を流すためのガイド部材、あるいは整流部材としての機能を果たす。
【００４９】
次に空気吹き出し部３１から床面部１０に沿って流れ空気吸い込み部３２に至る底流ルートについて説明する。
本実施形態では、空気吹き出し部３１に水平向き風向ガイド部材５０が設けられている。
水平向き風向ガイド部材５０は、空気吹き出し部３１側の整流部材４０の上に設けられ、整流部材４０の最も内側の縦板４５ｅと、二番目の縦板４５ｄの間に存在する間隔４７ｅ部分の真上を、水平向き風向ガイド部材５０の横ガイド部５２が覆う。即ち整流部材４０の最も内側の送風間隙５３の上に間隔をおいて水平向き風向ガイド部材５０の横ガイド部５２が設置されている。水平向き風向ガイド部材５０は、前記した様に断面形状が「Ｌ」字状であるから、水平向き風向ガイド部材５０が取り付けられた状態においては、通風路は試験室６の中央方向にのみ開口し、左側面部１１側は閉塞している。
そのため最も内側の送風間隙５３から吹き出された送風は、水平向き風向ガイド部材５０の横ガイド部５２と衝突し、向きを水平方向に変える。即ち水平向き風向ガイド部材５０によって送風方向が床面部１０に沿う方向に変換される。
そのためこの風は、床面部１０に沿って流れ、空気吸い込み部３２に至る。
【００５０】
次に、前方分流ルートについて説明する。前方分流ルートは、前記した周方向ルートを流れる風（空気）や、底流ルートの一部を分流して試験室開閉扉２１に向かわせるルートである。
本実施形態では、水平向き風向ガイド部材５０の横ガイド部５２と、整流部材４０の間に、複数の下部前面向き風向ガイド部材５５が設けられている。そして下部前面向き風向ガイド部材５５は、先端側が試験室開閉扉２１に向くように傾斜している。
そのため水平向き風向ガイド部材５０内を流れる風の一部が、方向を変えて試験室開閉扉２１に向かう。
本実施形態では、最も奥に設置された下部前面向き風向ガイド部材５５は、奥面部１６と平行に設置されており、設置位置が試験室開閉扉２１に近づくにつれて下部前面向き風向ガイド部材５５の姿勢が試験室開閉扉２１側に向く。そのため風は、扇状に流れ、試験室開閉扉２１に向かう。
【００５１】
また本実施形態では、棚受け部材２５の列の奥面側に、邪魔板５７が設けられている。邪魔板５７は、図１０の様に、幅方向の一辺側が試験室開閉扉２１に向かって軽く折り曲げられている。そのため、周方向ルートを流れる風の一部が、方向を変えて試験室開閉扉２１に向かう。この様に邪魔板５７は、前面向き風向ガイド部材として機能する。
【００５２】
この様に本実施形態の環境試験装置１では、周方向ルートに加えて、底流ルートと、前方分流ルートにも送風がなされる。本実施形態の環境試験装置１では、試験室６の中央部分は、周方向ルートによって形成される左側面部１１と、天井面部１２と、右側面部１３の空気層と、底流ルートによって形成される床面部１０の空気層と、前方分流ルートによって形成される、前面部１５の空気層に囲まれる。
そのため本実施形態の環境試験装置１は、試験室６内の温度等のばらつきが小さい。
また試験室開閉扉２１が送風によって保温され、結露する懸念が低い。
【００５３】
以上説明した実施形態では、奥面部１６に空気層を作る構成が無いが、奥面部１６に送風する送風ガイドを設けてもよい。ただし、一般に、試験室の奥面部１６は、他の部位に比べて断熱層が厚く、断熱性能が高いので、奥面部１６に風を流さなくても試験室６内の温度等のばらつきを小さくすることができる。
【００５４】
また上記した実施形態の各ガイドに加えて、あるいは各ガイドに代えて、他の構造のガイドを設けてもよい。
例えば、図１１に示す様に、棚受け部材２５同士の間に、棚受け間風向ガイド部材６０を設け、風を一方に導いてもよい。図１１に示す実施形態では、棚受け間風向ガイド部材６０は、先端側が試験室開閉扉２１に向かって折り曲げられており、風は試験室開閉扉２１に向かう。棚受け間風向ガイド部材６０は、前面向き風向ガイド部材として機能する。
【００５５】
また前記した各ガイド等は、必須ではなく、省略することもできる。例えば、高温高湿度の環境を作る必要が無い場合には、試験室開閉扉２１に結露することはないから、試験室開閉扉２１側に送風するためのガイド等は不要である。
即ち医薬品を対象とする安定性試験は、摂氏２５度、湿度６０パーセントという様な常温に近い環境で行う場合が多く、高温高湿度の環境にさらすことはむしろ稀である。高温高湿度の環境を作る必要が無い場合には、試験室開閉扉２１に送風するためのガイド等は不要である。
上記した実施形態に則して説明すると、下部前面向き風向ガイド部材５５、邪魔板５７、棚受け間風向ガイド部材６０は、省略することができる。
【００５６】
また上記した実施形態では、水平向き風向ガイド部材５０によって、送風方向を水平に変換したが、他の方策によって床面部１０に沿う方向に送風してもよい。例えば図１２に示す様に、空気吹き出し部６６を床面部１０から立ち上げて上面と側面に吹き出し口６７，６８を設け、側面の吹き出し口６８から床面部１０に沿う方向に送風してもよい。
図１２に示す実施形態では、上面に風を吹き出す吹き出し口６７は、左側面部１１に寄った位置に開口しており、側面の吹き出し口６８の近傍は閉塞部７０となっている。そのため側面の吹き出し口６８からも相当量の空気を吹き出すことができる。図１２に示す実施形態では、空気吹き出し部６６に整流部材４０が設けられており、最も内側の送風間隙５３の上部が閉鎖され、側面に吹き出し口６８が設けられている。
【００５７】
図１３は、図１２の実施形態と同様に、空気吹き出し部７２を床面部１０から立ち上げて上面と側面に吹き出し口７１，７３を設けたものであるが、整流部材４０は無い。図１３に示した実施形態では、整流部材に代わって、孔加工がなされた金属板７５によって上面に風を吹き出す吹き出し口７１が形成されている。
【００５８】
以上説明した実施形態では、試験室の左右の側面部１１，１３に空気吹き出し部３１と、空気吸い込み部３２を設け、風を周方向ルートで流した。即ち風を左側面部１１、天井面部１２及び右側面部１３に流した。
しかしながら本発明は、この構成に限定されるものではなく、右側面部１３、天井面部１２及び左側面部１１の順に流れてもよい。また奥面部１６、天井面部１２、前面部１５の順に風を通過させたり、前面部１５、天井面部１２、奥面部１６の順に風を通過させることも可能である（縦方向ルート）。
【００５９】
図１４、図１５は、縦方向ルートで風を流す場合の構成例を示すものであり、奥面部１６の下部近傍に空気吹き出し部３１があり、これと対向する前面部１５の下部近傍に空気吸い込み部３２が設けられている。
他の構成部材については、先の実施形態と同一の部材に同一の番号を付することによって詳細な説明を省略する。
【符号の説明】
【００６０】
１  環境試験装置
６  試験室
７  空気調和部
１０  床面部
１１  左側面部
１２  天井面部
１３  右側面部
１５  前面部
１６  奥面部
２０  大扉
２１  試験室開閉扉
２３  棚
２５  棚受け部材
３１  空気吹き出し部
３２  空気吸い込み部
４０，４１  整流部材
４２  格子状開口
４５ａ，ｂ，ｃ，ｄ，ｅ  縦板
４６  横板
５０  水平向き風向ガイド部材
５１  縦ガイド部
５２  横ガイド部
５５  下部前面向き風向ガイド部材
５７  邪魔板
６０  棚受け間風向ガイド部材
６６  空気吹き出し部
【図１】
2015210144.tif 000003
【図２】
2015210144.tif 000004
【図３】
2015210144.tif 000005
【図４】
2015210144.tif 000006
【図５】
2015210144.tif 000007
【図６】
2015210144.tif 000008
【図７】
2015210144.tif 000009
【図８】
2015210144.tif 000010
【図９】
2015210144.tif 000011
【図１０】
2015210144.tif 000012
【図１１】
2015210144.tif 000013
【図１２】
2015210144.tif 000014
【図１３】
2015210144.tif 000015
【図１４】
2015210144.tif 000016
【図１５】
2015210144.tif 000017